(57)【要約】      （修正有）【課題】選択的に蛍光棒、誘導棒、車後方の故障表示ランプ、懐中電灯、テールランプ、キャンプ用ランプ、ナイトランプまたは電撃棒として使用することができる、誘導棒を提供する。【解決手段】棒体１と電気ヘッド４を含み、棒体１は内部に電源供給ユニットが設置され、上部に少なくとも１つの給電端子が設置され、棒体１上に少なくとも１つのスイッチ部材３が設けられ、電気ヘッド４は底部に少なくとも１つの導電端子４１１が設けられ、棒体１と電気ヘッド４を相互に連結し、給電端子と導電端子４１１を相互に接続させることができ、且つ電源供給ユニットがスイッチ部材３による制御を受けて給電端子と導電端子４１１を介し電気ヘッド４に給電し、電気ヘッド４に電気的動作を発生させることができる。【選択図】図１
0003178853.tif 000002
【実用新案登録請求の範囲】
【請求項１】
棒体と電気ヘッドを含み、
前記棒体の内部に電源供給ユニットが設置され、上部に第１連結部が設けられ、且つ前記第１連結部の表面に前記電源供給ユニットに電気的に接続された少なくとも１つの給電端子が設置され、前記棒体上に前記給電端子と前記電源供給ユニットの間に電気的に接続された少なくとも１つのスイッチ部材が設置され、
前記電気ヘッドの底部に第２連結部が設けられ、且つ前記第２連結部の表面に少なくとも１つの導電端子が設置され、前記第１連結部と前記第２連結部を相互に連結し、前記棒体と前記電気ヘッドを組み立て、かつ前記給電端子と前記導電端子を相互に接続させることができ、前記電源供給ユニットが前記スイッチ部材の制御により前記給電端子と前記導電端子を介して前記電気ヘッドに給電し、前記電気ヘッドに電気的動作を発生させることを特徴とする、ヘッド交換式多機能誘導棒。
【請求項２】
前記電気ヘッドが誘導棒であり、
前記誘導棒の外壁が透光状で、
内部に前記導電端子に電気的に接続された少なくとも１つの発光部材が設置され、
前記スイッチ部材が前記発光部材を制御して前記誘導棒の外壁を通して光線を発し、かつ前記発光部材の発光形態を制御できることを特徴とする、請求項１に記載のヘッド交換式多機能誘導棒。
【請求項３】
前記誘導棒の内部に前記導電端子に電気的に接続されたスピーカーが設置され、
前記発光部材の前記発光形態が誘導用ライトの発光の長短、点滅の発光形態であり、
前記スイッチ部材が前記スピーカーを制御して誘導用の長短の笛の音を発することができることを特徴とする、請求項２に記載のヘッド交換式多機能誘導棒。
【請求項４】
前記電気ヘッドが投光棒であり、
前記投光棒の一端に透光ウィンドウが設置され、
内部に前記導電端子に電気的に接続された少なくとも１つの発光部材が設置され、
前記スイッチ部材が前記発光部材を制御して前記ウィンドウから光線を発することができることを特徴とする、請求項１に記載のヘッド交換式多機能誘導棒。
【請求項５】
前記電気ヘッドが電撃棒であり、
前記電撃棒の上端に２本の電極が設置され、
内部に前記導電端子と前記電極に電気的に接続された変圧ユニットが設置され、前記スイッチ部材が前記変圧ユニットを制御して前記電極間にアークを発生させることができることを特徴とする、請求項１に記載のヘッド交換式多機能誘導棒。
【請求項６】
前記棒体上にハンドルリングが設置され、
且つ前記棒体の底部内に相互に絶縁され、かつ相互に近隣する第１導電端部と第２導電端部が設けられ、前記第１導電端部と前記第２導電端部が前記給電端子、電源供給ユニット、スイッチ部材の間に電気的に接続され、前記電源供給ユニットの前記給電端子に対する給電を切断し、
前記ハンドルリング上に前記第１導電端部と前記第２導電端部の間に挿入することができる第１導電部材が設置され、前記第１導電部材により前記第１導電端部と前記第２導電端部を接続し、前記電源供給ユニットに前記給電端子に対して給電させることができることを特徴とする、請求項５に記載のヘッド交換式多機能誘導棒。
【請求項７】
前記棒体上に、前記スイッチ部材と同じ数であり、且つ外部から手の指を伸入させることができる凹部が設けられ、
前記スイッチ部材が、赤外線トランスミッタと赤外線レシーバを含み、前記赤外線トランスミッタと前記赤外線レシーバが前記凹部の両側の内壁にそれぞれ設置され、
前記スイッチ部材が前記赤外線トランスミッタと前記赤外線レシーバにより前記手の指を検出することで電源供給を導通及び切断することを特徴とする、請求項１に記載のヘッド交換式多機能誘導棒。
【請求項８】
前記スイッチ部材が前記棒体内部に内蔵されたタッチ式スイッチであることを特徴とする、請求項１に記載のヘッド交換式多機能誘導棒。
【請求項９】
前記棒体内に磁性部材が設置され、
前記棒体と前記電気ヘッドが前記磁性部材の吸着により外部物品上に位置決めされ、前記外部物品が着用品または家具、或いは交通機関であることを特徴とする、請求項１に記載のヘッド交換式多機能誘導棒。
【請求項１０】
前記棒体の下端に前記棒体と前記電気ヘッドを竪立させることができる位置決め部材を設けたことを特徴とする、請求項１に記載のヘッド交換式多機能誘導棒。
【考案の詳細な説明】
【技術分野】
【０００１】
本考案はヘッド交換式多機能誘導棒に関し、選択的に蛍光棒、誘導棒、車後方の故障表示ランプ、懐中電灯、テールランプ、キャンプ用ランプ、ナイトランプ、電撃棒として使用することができる、ヘッド交換式多機能誘導棒に関するものである。
【背景技術】
【０００２】
警察には交通誘導のため誘導棒と笛が配備されており、交通整理の任務を執行する際、誘導棒で車両の進行を指揮するときは、進行を指揮する方向に誘導棒を往復させて振り、かつ笛で短い音を続けて鳴らし、誘導棒で車両の停止を指揮するときは、誘導棒を高く上げて、笛で長い音を一度鳴らす。また、勤務時には、懐中電灯と電撃棒を携帯しており、夜間の行動に便利であると同時に、基本的な防衛能力を具備することができる。
【０００３】
しかしながら、勤務時には往々にして車が多い状況に遭遇し、特に交通整理を行う間は、往来する車両が発生する排ガスの量が非常に多くなるが、勤務者は笛を使用するときマスクをすることができないため、車両の排ガスが勤務者の身体の呼吸系に影響を引き起こすことがよくある。このほか、勤務時に誘導棒、懐中電灯、電撃棒を同時に携帯しなければならず、勤務者の負担が増しており、また身体の活動にも影響を与えている。
【考案の概要】
【考案が解決しようとする課題】
【０００４】
本考案の目的は、選択的に蛍光棒、誘導棒、車後方の故障表示ランプ、懐中電灯、テールランプ、キャンプ用ランプ、ナイトランプまたは電撃棒として使用することができる、誘導棒を提供することにある。
【課題を解決するための手段】
【０００５】
本願の第１考案は、棒体と電気ヘッドを含み、
前記棒体の内部に電源供給ユニットが設置され、上部に第１連結部が設けられ、且つ前記第１連結部の表面に前記電源供給ユニットに電気的に接続された少なくとも１つの給電端子が設置され、前記棒体上に前記給電端子と前記電源供給ユニットの間に電気的に接続された少なくとも１つのスイッチ部材が設置され、
前記電気ヘッドの底部に第２連結部が設けられ、且つ前記第２連結部の表面に少なくとも１つの導電端子が設置され、
前記第１連結部と前記第２連結部を相互に連結し、前記棒体と前記電気ヘッドを組み立て、かつ前記給電端子と前記導電端子を相互に接続させることができ、前記電源供給ユニットが前記スイッチ部材の制御により前記給電端子と前記導電端子を介して前記電気ヘッドに給電し、前記電気ヘッドに電気的動作を発生させることを特徴とする、ヘッド交換式多機能誘導棒を提供する。
【０００６】
上述により、使用時は棒体上の電気ヘッドを自由に交換し、第１連結部と第２連結部により棒体と電気ヘッドを組み立て、導電端子を給電端子に接触させ、棒体内の電源供給ユニットにより電気ヘッドに対して給電させ、且つスイッチ部材により電気ヘッドを制御して蛍光棒、誘導棒、車後方の故障表示ランプ、懐中電灯、テールランプ、キャンプ用ランプ、ナイトランプまたは電撃棒等の電気的動作を発生させることができる。
【０００７】
前記電気ヘッドは、誘導棒、投光棒または電撃棒としてもよい。
【０００８】
本願の第２考案は、前記電気ヘッドが誘導棒であり、前記誘導棒の外壁が透光状で、内部に前記導電端子に電気的に接続された少なくとも１つの発光部材が設置され、前記スイッチ部材が前記発光部材を制御して前記誘導棒の外壁を通して光線を発し、かつ前記発光部材の発光形態を制御できることを特徴とする、前記第１考案のヘッド交換式多機能誘導棒を提供する。
【０００９】
本願の第３考案は、前記誘導棒の内部に前記導電端子に電気的に接続されたスピーカーが設置され、前記発光部材の前記発光形態が誘導用ライトの発光の長短、点滅の発光形態であり、前記スイッチ部材が前記スピーカーを制御して誘導用の長短の笛の音を発することができることを特徴とする、前記第２考案のヘッド交換式多機能誘導棒を提供する。
【００１０】
本願の第４考案は、前記電気ヘッドが投光棒であり、前記投光棒の一端に透光ウィンドウが設置され、内部に前記導電端子に電気的に接続された少なくとも１つの発光部材が設置され、前記スイッチ部材が前記発光部材を制御して前記ウィンドウから光線を発することができることを特徴とする、前記第１考案のヘッド交換式多機能誘導棒を提供する。
【００１１】
本願の第５考案は、前記電気ヘッドが電撃棒であり、前記電撃棒の上端に２本の電極が設置され、内部に前記導電端子と前記電極に電気的に接続された変圧ユニットが設置され、前記スイッチ部材が前記変圧ユニットを制御して前記電極間にアークを発生させることができることを特徴とする、前記第１考案のヘッド交換式多機能誘導棒を提供する。
【００１２】
本願の第６考案は、前記棒体上にハンドルリングが設置され、且つ前記棒体の底部内に相互に絶縁され、かつ相互に近隣する第１導電端部と第２導電端部が設けられ、
前記第１導電端部と前記第２導電端部が前記給電端子、電源供給ユニット、スイッチ部材の間に電気的に接続され、前記電源供給ユニットの前記給電端子に対する給電を切断し、
前記ハンドルリング上に前記第１導電端部と前記第２導電端部の間に挿入することができる第１導電部材が設置され、
前記第１導電部材により前記第１導電端部と前記第２導電端部を接続し、前記電源供給ユニットに前記給電端子に対して給電させることができることを特徴とする、前記第５考案のヘッド交換式多機能誘導棒を提供する。
【００１３】
本願の第７考案は、前記棒体上に、前記スイッチ部材と同じ数であり、且つ外部から手の指を伸入させることができる凹部が設けられ、
前記スイッチ部材が、赤外線トランスミッタと赤外線レシーバを含み、前記赤外線トランスミッタと前記赤外線レシーバが前記凹部の両側の内壁にそれぞれ設置され、
前記スイッチ部材が前記赤外線トランスミッタと前記赤外線レシーバにより前記手の指を検出することで電源供給を導通及び切断することを特徴とする、前記第１考案のヘッド交換式多機能誘導棒を提供する。
【００１４】
本願の第８考案は、前記スイッチ部材が前記棒体内部に内蔵されたタッチ式スイッチであることを特徴とする、前記第１考案のヘッド交換式多機能誘導棒を提供する。
【００１５】
本願の第９考案は、前記棒体内に磁性部材が設置され、前記棒体と前記電気ヘッドが前記磁性部材の吸着により外部物品上に位置決めされ、前記外部物品が着用品または家具、或いは交通機関であることを特徴とする、前記第１考案のヘッド交換式多機能誘導棒を提供する。
【００１６】
本願の第１０考案は、前記棒体の下端に前記棒体と前記電気ヘッドを竪立させることができる位置決め部材を設けたことを特徴とする、前記第１考案のヘッド交換式多機能誘導棒を提供する。
【図面の簡単な説明】
【００１７】
【図１】本考案の実施例１の立体分解図である。
【図２】図１の実施例の正面断面図である。
【図３】図２の追加実施形態の正面断面図である。
【図４】図２の部分拡大断面図である。
【図５】図１の実施例の追加実施形態の正面部分拡大図である。
【図６】本考案の実施例２の立体分解図である。
【図７】図６の実施例の正面断面図である。
【図８】本考案の実施例３の立体分解図である。
【図９】図８の実施例の正面断面図である。
【図１０】図２、７、９の実施例の追加実施形態の断面図である。
【考案を実施するための形態】
【００１８】
（実施例１）
各図に示すように、棒体１は円筒状であり、その内部に充電式電池または乾電池とすることができる電源供給ユニット２が設置され、棒体１の上部に凹陥した槽状の第１連結部１１が設けられ、その内壁表面に電源供給ユニット２に電気的に接続された少なくとも１つの金属製の給電端子１１１が設置され、棒体１上に給電端子１１１と電源供給ユニット２の間に電気的に接続された少なくとも１つのスイッチ部材３が設置される。
【００１９】
電気ヘッド４は底部に凸状の第２連結部４１が設けられ、その外壁表面に少なくとも１つの金属製の導電端子４１１が設置され、第１連結部１１と第２連結部４１を相互に嵌置して連結することができ、それにより棒体１と電気ヘッド４が組み立てられ、かつ給電端子１１１と導電端子４１１が相互に接触して接続される。
これにより、電源供給ユニット２はスイッチ部材３による制御を受け、給電端子１１１と導電端子４１１を介して電気ヘッド４内部の回路と電子部材に給電し、電気ヘッド４に電気的動作を発生させることができる。
【００２０】
使用時は、棒体１上の電気ヘッド４を交換することができ、第１連結部１１と第２連結部４１により棒体１と電気ヘッド４を組み立て、導電端子４１１を給電端子１１１に接触させて、棒体１内の電源供給ユニット２に電気ヘッド４に対する給電を行わせ、且つスイッチ部材３により電気ヘッド４を制御して蛍光棒、誘導棒、車後方の故障表示ランプ、懐中電灯、テールランプ、キャンプ用ランプ、ナイトランプまたは電撃棒等の電気的動作を発生させる。
【００２１】
給電端子１１１は棒体１内の電源制御回路板２０上に電気的に接続され、電源供給ユニット２及びスイッチ部材３が電源制御回路板２０にそれぞれ電気的に接続される。スイッチ部材３による制御を通して、電源供給ユニット２の給電端子１１１に対する給電がオンまたはオフにされる。
【００２２】
棒体１の底部には電源供給ユニット２に電気的に接続された充電ユニット２１が設置され、この充電ユニット２１は棒体１底面に露出された充電スロット２１１を備え、電源供給ユニット２は充電スロット２１１を介して外部の電源からの充電を受けることができる。
【００２３】
電気ヘッド４は、外壁が透光状の蛍光棒または誘導用の誘導棒とすることができ、電気ヘッド４はカラーの透光性プラスチックまたはガラス材料を採用することができ、且つ電気ヘッド４内部に導電端子４１１に電気的に接続された少なくとも１つの電球または発光ダイオード等の発光部材５が設置される。
発光部材５は音響光学制御回路板５０上(図２参照)に設置され、音響光学制御回路板５０は電気ヘッド４内に設置され、かつ電気ヘッド４上端と下端まで延伸され、発光部材５を電気ヘッド４の上端と下端の間に間を隔てて複数配置することができ、且つ導電端子４１１が音響光学制御回路板５０に電気的に接続される。
或いは、発光部材５を電気ヘッド４の下端(図３参照)に設置して、発光部材５に電気ヘッド４上端方向に向かって光線を投射させてもよい。
【００２４】
音響光学制御回路板５０のメモリチップ内には発光部材５の発光の長短、点滅、順序の形態を制御できる複数のデータを予め保存しておき、スイッチ部材３により音響光学制御回路板５０を介して発光部材５を制御し、蛍光棒または誘導棒の外壁から光線を発することができる。
かつ音響光学制御回路板５０を介して発光部材５の発光の長短、点滅、順序の形態を制御し、電気ヘッド４に点滅光を発する能力を具備させ、蛍光棒または交通誘導棒として使用し、パーティーやコンサート等の娯楽場所で使用したり、交通の誘導に用いたりすることができる。
【００２５】
誘導棒の電気ヘッド４内部には音響光学制御回路板５０及び導電端子４１１と電気的に接続されたスピーカー６が設置され、これはホーンやブザー等の音声を発することができる電子部材とすることができ、音響光学制御回路板５０のメモリチップ内にスピーカー６の発する笛の音の長短、順序の形態を制御できる複数のデータを予め保存しておき、スイッチ部材３により音響光学制御回路板５０を介してスピーカー６を制御し、誘導用の長、短の笛の音を発することができる。
本考案の誘導棒の電気ヘッド４は点滅光と長、短の笛の音を発する機能を備え、交通誘導棒として使用でき、勤務する人が交通整理を行うときにマスクを着用して、車両の排ガスにより呼吸系に影響が生じることを回避することができる。
【００２６】
棒体１上にスイッチ部材３と同じ数で、外部から手の指を伸入させることができる凹部１２が設けられ、スイッチ部材３は凹部１２の両側の内壁にそれぞれ設置される赤外線トランスミッタ３１と赤外線レシーバ３２を含み、スイッチ部材３は赤外線トランスミッタ３１と赤外線レシーバ３２により手の指を検知して電源の供給を導通及び切断する。
或いは、スイッチ部材３ａは棒体１内部に内蔵されたタッチ式スイッチとしてもよい。これにより、赤外線検知またはタッチ方式を採用してスイッチ部材３、３ａのオン／オフを楽に行うことができる。
或いは、スイッチ部材３ｂは棒体１の外壁に露出されたスライド式スイッチとしてもよく、発光部材５の多段式発光調整としたり、スピーカー６の多段式音声調整としたりすることもできる。
【００２７】
棒体１内に磁性部材７が設置され、これは磁石とすることができ、棒体１と電気ヘッド４を磁性部材７の吸引により外部物品上に位置決めすることができる。
外部物品は着用品、家具、交通機関などとしてもよく、着用品は例えばベルトの金属部位とすることができ、棒体１を磁性部材７により着用品、家具、交通機関等の外部物品上に吸着させて固定し、便利に固定したり、素早く手に取ったりすることができる。棒体１を磁性部材７により車両の外殼に吸着させれば、テールランプとして使用することもできる。
【００２８】
棒体１の下端には、棒体１と電気ヘッド４を竪立させることができる位置決め部材８を設置することができる。
この位置決め部材８は位置決め用のスタンドや座体８１としてもよく、位置決め部材８を座体８１としたとき、座体８１の上面に棒体１下端を嵌置することができる位置決め孔８２が設けられ、棒体１と電気ヘッド４を位置決め部材８により位置決めして竪立させ、車後方の故障表示ランプとして使用することができる。
【００２９】
（実施例２）
図６、図７に示すように、電気ヘッド４ａは投光棒とすることができ、上端に透光ウィンドウ４２が設けられ、かつ電気ヘッド４ａ内部に導電端子４１１に電気的に接続された少なくとも１つの発光部材５が設置される。
電気ヘッド４ａ内部にはさらに発光部材５と導電端子４１１に電気的に接続された音響光学制御回路板５０とスピーカー６が設置され、音響光学制御回路板５０のメモリチップ内に発光部材５の発光の長短、点滅、順序の形態を制御できる複数のデータを予め保存しておき、スイッチ部材３により音響光学制御回路板５０を介して発光部材５を制御し、ウィンドウ４２から光線を発することができる。
【００３０】
電気ヘッド４ａに照明光線を発する能力を具備させて、懐中電灯として使用することができ、棒体１と電気ヘッド４ａを位置決め部材８により位置決めして竪立させれば、キャンプ用ランプまたはナイトランプとして使用することもできる。
キャンプ用ランプまたはナイトランプとして使用するときは、音響光学制御回路板５０のメモリチップ内に複数の音楽データを予め保存し、音響光学制御回路板５０を利用してスピーカー６に音楽を再生させることもできる。
【００３１】
（実施例３）
図８、図９に示すように、電気ヘッド４ｂは電撃棒とすることができ、その上端に２本の電極９１が設けられ、且つ電気ヘッド４ｂ内部に導電端子４１１と電極９１に電気的に接続された変圧ユニット９が設置され、スイッチ部材３で変圧ユニット９を制御して前記電極９１の間に電撃用のアークを発生させることができる。且つ電撃棒を使用するときは、スイッチ部材３を利用してスピーカー６を制御し、警報音を発生させてもよく、照明用途の懐中電灯または交通整理用の誘導棒を迅速に電撃棒に交換して使用することができ、これにより基本防衛能力が得られ、別途従来の電撃棒を携帯する負担が軽減される。
【００３２】
このほか、棒体１の上端にハンドルリング１３が設置され、且つ棒体１の底部に挿入孔１４が設けられ、この挿入孔１４内に相互に絶縁され、かつ相互に近隣する第１導電端部２２と第２導電端部２３がそれぞれ設けられる。
第１導電端部２２と第２導電端部２３は給電端子１１１、電源供給ユニット２、スイッチ部材３の間に電気的に接続され、かつ電源供給ユニット２の給電端子１１１に対する給電を切断し、ハンドルリング１３上に挿入孔１４内に挿入し、第１導電端部２２と第２導電端部２３の間を接続する棒状の第１導電部材２４が設置される。
【００３３】
棒体１を握るとき、ハンドルリング１３を手に掛け、第１導電部材２４を挿入孔１４内に挿入すると、第１導電部材２４が第１導電端部２２と第２導電端部２３を導通させ、電源供給ユニット２が給電端子１１１に対して給電できるようになり、これにより電気ヘッド４ｂの発生する電気的動作をオン／オフすることができる。
【００３４】
電撃棒の電気ヘッド４ｂと棒体１が奪われても、棒体１が使用者の手を離れた瞬間、ハンドルリング１３は使用者の手にまだ掛けられているため、第１導電部材２４がハンドルリング１３により引っ張られ、挿入孔１４を離脱し、第１導電端部２２と第２導電端部２３が電源供給ユニット２の給電端子１１１に対する給電を切断し、電撃棒が失効する。
これにより奪われた電撃棒が使用者への電撃に用いられることを防止できる。
【００３５】
上述の電気ヘッド４、４ａ、４ｂを組み込む棒体１の下端を位置決め部材８の位置決め孔８２に嵌置させて棒体１を竪立させることができ、且つ位置決め孔８２の底面にも第２導電部材２５を竪立させてもよい。
棒体１の下端を位置決め孔８２内に嵌置したとき、第２導電部材２５がちょうど挿入孔１４内に挿入され、第２導電部材２５により第１導電端部２２と第２導電端部２３を導通させ、電源供給ユニット２が給電端子１１１に対し給電を行うことができ、特に車後方の故障表示ランプ、キャンプ用ランプまたはナイトランプとして使用するとき、これにより電気ヘッド４、４ａ、４ｂに電気的動作の発生を保持させることができる。
【符号の説明】
【００３６】
１              棒体
１１            第１連結部
１１１          給電端子
１２            凹部
１３            ハンドルリング
１４            挿入孔
２              電源供給ユニット
２０            電源制御回路板
２１            充電ユニット
２１１          充電スロット
２２            第１導電端部
２３            第２導電端部
２４            第１導電部材
２５            第２導電部材
３、３ａ、３ｂ  スイッチ部材
３１            赤外線トランスミッタ
３２            赤外線レシーバ
４、４ａ、４ｂ  電気ヘッド
４１            第２連結部
４１１          導電端子
４２            ウィンドウ
５              発光部材
５０            音響光学制御回路板
６              スピーカー
７              磁性部材
８              位置決め部材
８１            座体
８２            位置決め孔
９              変圧ユニット
９１            電極
【図１】
0003178853.tif 000003
【図２】
0003178853.tif 000004
【図３】
0003178853.tif 000005
【図４】
0003178853.tif 000006
【図５】
0003178853.tif 000007
【図６】
0003178853.tif 000008
【図７】
0003178853.tif 000009
【図８】
0003178853.tif 000010
【図９】
0003178853.tif 000011
【図１０】
0003178853.tif 000012